(57)【要約】【課題】測定者による測定結果のバラツキの発生がなく、マルチパスの特性変化に容易に対応できるようにする。【解決手段】ＯＦＤＭ方式のデジタル放送波を受信し、その受信信号からシンボルタイミングを検出し、そのシンボルの信号列に対して指定された窓位置の信号列切出処理を行い、該切り出した信号列に対してデジタル放送波の評価に必要な演算処理を行うデジタル放送波評価装置において、特定タイミングに受信された受信信号についてのシンボルの信号列に対して、予め設定された複数の異なる窓位置で信号列の切出処理を行わせ、その切り出された複数組の信号列に対する変調誤差比の演算を行い、最大の変調誤差比が得られる窓位置を最適窓位置として選定する最適窓位置選定手段３１を有しており、この選定された最適窓位置によって切り出した信号列に対して遅延プロファイルの演算を行う。【選択図】図１
2009017410.tif 000002
【特許請求の範囲】
【請求項１】
ＯＦＤＭ方式のデジタル放送波を受信し、その受信信号からシンボルタイミングを検出し、そのシンボルの信号列に対して指定された窓位置の信号列切出処理を行い、該切り出した信号列に対してデジタル放送波の評価に必要な演算処理を行うデジタル放送波評価装置において、
特定タイミングに受信された受信信号についてのシンボルの信号列に対して、予め設定された複数の異なる窓位置で信号列の切出処理を行わせ、該切り出された信号列それぞれに対する変調誤差比の演算を行い、最大の変調誤差比が得られる窓位置を最適窓位置として選定する最適窓位置選定手段（３１）を有していることを特徴とするデジタル放送波評価装置。
【請求項２】
前記特定タイミングに受信された受信信号についてのシンボルの信号列から、前記最適窓位置選定手段によって選定された最適窓位置によって切り出した信号列に対して前記デジタル放送波の評価に必要な演算処理を行うことを特徴とする請求項１記載のデジタル放送波評価装置。
【請求項３】
前記特定タイミングの後に受信された受信信号についてのシンボルの信号列から、前記最適窓位置選定手段によって選定された最適窓位置によって切り出した信号列に対して前記デジタル放送波の評価に必要な演算処理を行うことを特徴とする請求項１記載のデジタル放送波評価装置。
【請求項４】
前記最適窓位置選定手段は、評価演算を用いる信号列の切出処理を行う前のタイミングあるいは評価演算に用いる信号列の最適窓位置による切出処理を継続的に行っている期間中の一定時間が経過するタイミングを前記特定タイミングとして、最適窓位置の選定処理を行うことを特徴とする請求項１〜３のいずれかに記載のデジタル放送波評価装置。
【請求項５】
前記最適窓位置選定手段は、デジタル放送波の評価に必要な演算処理のために選定した最適窓位置で切出処理された信号列に対する変調誤差比の算出を継続的に行い、該算出した変調誤差比が予め設定された基準値より小さくなったタイミングを前記特定タイミングとして最適窓位置の選定処理を行うことを特徴とする請求項１〜４のいずれかに記載のデジタル放送波評価装置。
【請求項６】
前記最適窓位置選定手段によって選定された最適窓位置で切出処理された信号列に対して、前記受信したデジタル放送波に含まれる各到来波のレベルと到来タイミングの差を表す遅延プロファイルを求める演算処理を行うことを特徴とする請求項１〜５のいずれかに記載のデジタル放送波評価装置。
【発明の詳細な説明】
【技術分野】
【０００１】
本発明は、地上波デジタル放送等に用いられるＯＦＤＭ（Orthogonal Frequency Division Multiplexing）方式のデジタル放送波の評価を正しく且つ容易に行うための技術に関する。
【背景技術】
【０００２】
現在利用されているＶＨＦ帯およびＵＨＦ帯の地上波アナログ放送は、２００３年から一部の地域で開始された地上波デジタル放送に移行しており、２０１１年には地上波アナログ放送に代わって地上波デジタル放送のサービスが全地域で実施される予定である。
【０００３】
この地上波デジタル放送ではＵＨＦ帯のＯＦＤＭ方式の電波を用いているが、ＶＨＦ帯の地上波アナログ放送を受信している地域で地上波デジタル放送に切り換える際には、放送局からその受信地域までの伝搬状況を調べる必要がある。
【０００４】
このような伝搬状況に関する主な測定項目として遅延測定が知られている。
遅延測定は、図７に示すように、放送局１から出力されて例えば地域２に直接到来した直接波Ａ１と、反射物３等で反射して地域２に到来した遅延波Ａ２のレベルと到来タイミングの差とを検出する測定であり、この信号Ａ１、Ａ２のレベルと到来タイミングの差の特性を一般的に遅延プロファイルと称している。
【０００５】
地上波デジタル放送では、上記のようなマルチパスに対する受信画像の劣化を防止するために、図８に示すように、ＯＦＤＭ信号を構成する各シンボルＳ（ｉ）の先頭から所定時間幅Ｔｇの部分にガードインターバルＧＩと呼ばれる信号成分が挿入されている。
【０００６】
ガードインターバルＧＩは、それに続く有効シンボルの最後尾の時間幅Ｔｇの信号と同一の信号成分であり、この冗長な信号成分を設けていることにより、例えば直接波から時間幅Ｔｇの範囲内で遅延して到来した遅延波が存在しても、データ復調を正しく行えるようになっている。
【０００７】
例えば、図９の（ａ）のようにレベルが高い直接波Ａ１に対して図９の（ｂ）のように時間Ｔｘだけ遅延してレベルが低い遅延波Ａ２が到来した場合、その合成波Ｂには、図９の（ｃ）のように、直接波Ａ１と遅延波Ａ２の同一シンボルの信号同士が合成されたシンボル非干渉部Ｂａと、前後の異なるシンボルの信号同士が合成されたシンボル干渉部Ｂｂとが交互に現れ、相関の強い信号同士が合成されたシンボル非干渉部Ｂａの信号列に対して所定演算処理を行うことで遅延プロファイルを精度よく求めることができる。
【０００８】
図１０は、上記原理に基づくデジタル放送波評価装置１０の構成の一部を示している。
このデジタル放送波評価装置１０は、周波数変換部１１により、図示しないアンテナ等を介して入力された信号Ｂ０から測定対象チャンネルのＯＦＤＭ信号を受信して、所定の中間周波数帯の信号Ｂ１に変換し、この中間周波数帯の信号Ｂ１をＡ／Ｄ変換器１２によりデジタル信号Ｂ２に変換する。
【０００９】
直交復調器１３は、デジタル信号Ｂ２に対して直交復調処理を行い、ベースバンド信号Ｉ、Ｑを出力する。
【００１０】
シンボルタイミング検出手段１４は、ベースバンド信号Ｉ、Ｑを受けて、ＯＦＤＭ信号を構成するシンボルの特定位置（ここでは先頭位置）の入力タイミングを検出する。
【００１１】
窓位置指定手段１５は、操作部１６の操作で設定された値を、後述のシンボルに対する信号列切出処理の開始タイミングＴａとして窓位置信号発生手段１７に指定する。
【００１２】
窓位置信号発生手段１７は、シンボルタイミング検出手段１４によって検出されたシンボルの先頭位置の入力タイミングを基準タイミングとし、その基準タイミングからＴａ時間経過後に所定時間幅Ｔｗの窓位置信号Ｗを信号列切出手段１８に出力する。
【００１３】
信号列切出手段１８は、入力されるベースバンド信号Ｉ、Ｑの信号列のうち窓位置信号発生手段１７から窓位置信号Ｗを受けている間に入力された信号列Ｉ′、Ｑ′を出力する。
【００１４】
遅延プロファイル生成手段１９は、信号列切出手段１８によって切り出された信号列Ｉ′、Ｑ′に対するフーリエ変換処理によりシンボルに含まれるパイロット信号等から伝送路特性を抽出し、その伝送路特性に対する逆フーリエ変換処理により、測定対象の入力信号Ｂ０に含まれ、同一送信元から送信されて異なる経路を経て異なるタイミングに到来した各信号成分のレベルと到来タイミング差を表す遅延プロファイルを生成する。
【００１５】
表示データ生成手段２０は、横軸が時間、縦軸がレベルの直交座標上に、遅延プロファイル生成手段１９によって生成された遅延プロファイルの波形の表示データを生成し、レベル最大の到来波についての波形の表示位置が規定位置となるように表示器２１に表示する。
【００１６】
次に、上記装置１０の動作を説明する。
図１１の（ａ）に示す直接波Ａ１と図１１の（ｂ）に示す遅延波Ａ２とが合成された図１１の（ｃ）の合成波Ｂを入力信号Ｂ０（図１０）とし、直接波Ａ１のレベルが遅延波Ａ２のレベルより大きいとする。
【００１７】
この合成波Ｂは、周波数変換部１１により中間周波数帯の信号Ｂ１（図１０）に変換され、Ａ／Ｄ変換器１２によりデジタル信号Ｂ２（図１０）に変換され、直交復調器１３によってベースバンド信号Ｉ、Ｑに変換され、シンボルタイミング検出手段１４により、図１１の（ａ）、（ｃ）に示しているように、シンボル先頭位置に対応した基準タイミングｔ（ｉ）が検出される。なお、ここで検出される基準タイミングは、ガードインターバルＧＩの時間幅分の抽出データで元データに対するスライディング相関演算を行い、その相関値が最大となったときに用いた抽出データが信号レベルの大きい直接波Ａ１のシンボル先頭位置に対応しているものとして検出している。
【００１８】
この基準タイミングｔ（ｉ）に対し窓位置指定手段１５により信号列の切出開始タイミングＴａ（窓位置）が指定されているとすると、窓位置信号発生手段１７から信号列切出手段１８に対して、図１１の（ｄ）のように、基準タイミングｔ（ｉ）から時間Ｔａの経過後に所定幅Ｔｗ（例えば有効シンボル長の幅）の窓位置信号Ｗが出力され、図１１の（ｅ）のように、窓位置信号Ｗが出力されている間の信号列Ｉ′、Ｑ′が切り出されて、遅延プロファイル生成手段１９に出力される。
【００１９】
上記処理が例えば４つの連続するシンボルＳ（ｉ）〜Ｓ（ｉ＋３）について行われることにより、伝送路特性を精度よく抽出するために必要な信号列が得られ、その信号列を受けた遅延プロファイル生成手段１９により、図１１の（ｆ）のように、直接波Ａ１と遅延波Ａ２のレベルとそれぞれの到来時間の差Ｔｘとを表す遅延プロファイルが生成される。
【００２０】
そして、この遅延プロファイルのデータが表示データ生成手段２０により例えば平均化処理されて、図１２のように、レベル最大の直接波Ａ１の表示位置が時間軸上の規定位置となるように表示器２１に表示される。
【００２１】
なお、上記したように地上波デジタル放送に用いられるＯＦＤＭ信号の遅延プロファイルを生成して表示する技術は、例えば、次の特許文献１に開示されている。
【００２２】
【特許文献１】特開２００４−２３６０７６号公報
【発明の開示】
【発明が解決しようとする課題】
【００２３】
前記した例の窓位置Ｔａは遅延時間Ｔｘより前にあるので、切り出された信号列の先頭部には、異なるシンボルの信号成分同士が合成されたシンボル干渉部Ｂｂが含まれている。したがって、窓がこのシンボル干渉部Ｂｂと重なり合うと、遅延プロファイルの生成精度が低下し、表示される遅延プロファイルのノイズフロアが高くなる。
【００２４】
このシンボル干渉部Ｂｂの影響を受けないようにするには、信号切出用の窓位置をレベル最大の直接波Ａ１の有効シンボルの先頭に固定すればよい。
【００２５】
ところが、近年では、大出力の放送局で大きなサービスエリアをカバーする従来の放送システムだけでなく、大出力放送局と小出力放送局とを併用して不感エリアをなくすＳＦＮ（Single Frequency Network）方式が実現され、小出力放送局からの低レベルの到来波の後に大出力放送局からの高レベルの到来波が受信される状況が発生している。
【００２６】
このように高レベルの到来波より先に低レベルの到来波が受信される地域で、上記のように窓位置をレベル最大の到来波の有効シンボルの先頭に合わせると、その切出した信号の最後部に、次シンボルの信号が重ったシンボル干渉部が生じ、測定精度が低下してしまう。
【００２７】
上記した従来装置では、このような不都合を軽減するために、測定者の操作部１６による操作で信号列切出開始タイミングＴａ（窓位置）を可変させて、表示される遅延プロファイル波形のノイズフロアが最も小さくなるようにしているが、測定者自身が、表示器に表示される遅延プロファイル波形のノイズフロアが最も小さくなるように操作部を操作する方法では、測定者による測定結果のバラツキが生じるという問題があった。
【００２８】
また、電波伝搬路の変化（反射物の移動、振動あるいは天候変化による反射率の変化等）により、マルチパス特性が変化した場合に速やかに対応することが困難であった。
【００２９】
本発明は、これらの問題を解決して、測定者による測定結果のバラツキの発生がなく、マルチパスの特性変化に容易に対応できるデジタル放送波評価装置を提供することを目的としている。
【００３０】
なお、本発明は、遅延プロファイル波形のノイズフロア等を含む放送波の品質が、受信信号の変調精度に対応していることに着目したものであり、数値で得られる変調誤差比が最大となる窓位置を、評価演算に用いる信号列の切り出しに最適な窓位置とすることにより、上記目的を達成するものである。
【課題を解決するための手段】
【００３１】
前記目的を達成するために、本発明の請求項１のデジタル放送波評価装置は、
ＯＦＤＭ方式のデジタル放送波を受信し、その受信信号からシンボルタイミングを検出し、そのシンボルの信号列に対して指定された窓位置の信号列切出処理を行い、該切り出した信号列に対してデジタル放送波の評価に必要な演算処理を行うデジタル放送波評価装置において、
特定タイミングに受信された受信信号についてのシンボルの信号列に対して、予め設定された複数の異なる窓位置で信号列の切出処理を行わせ、該切り出された信号列それぞれに対する変調誤差比の演算を行い、最大の変調誤差比が得られる窓位置を最適窓位置として選定する最適窓位置選定手段（３１）を有していることを特徴とする。
【００３２】
また、本発明の請求項２のデジタル放送波評価装置は、請求項１記載のデジタル放送波評価装置において、
前記特定タイミングに受信された受信信号についてのシンボルの信号列から、前記最適窓位置選定手段によって選定された最適窓位置によって切り出した信号列に対して前記デジタル放送波の評価に必要な演算処理を行うことを特徴とする。
【００３３】
また、本発明の請求項３のデジタル放送波評価装置は、請求項１記載のデジタル放送波評価装置において、
前記特定タイミングの後に受信された受信信号についてのシンボルの信号列から、前記最適窓位置選定手段によって選定された最適窓位置によって切り出した信号列に対して前記デジタル放送波の評価に必要な演算処理を行うことを特徴とする。
【００３４】
また、本発明の請求項４のデジタル放送波評価装置は、請求項１〜３のいずれかに記載のデジタル放送波評価装置において、
前記最適窓位置選定手段は、評価演算を用いる信号列の切出処理を行う前のタイミングあるいは評価演算に用いる信号列の最適窓位置による切出処理を継続的に行っている期間中の一定時間が経過するタイミングを前記特定タイミングとして、最適窓位置の選定処理を行うことを特徴とする。
【００３５】
また、本発明の請求項５のデジタル放送波評価装置は、請求項１〜４のいずれかに記載のデジタル放送波評価装置において、
前記最適窓位置選定手段は、デジタル放送波の評価に必要な演算処理のために選定した最適窓位置で切出処理された信号列に対する変調誤差比の算出を継続的に行い、該算出した変調誤差比が予め設定された基準値より小さくなったタイミングを前記特定タイミングとして最適窓位置の選定処理を行うことを特徴とする。
【００３６】
また、本発明の請求項６のデジタル放送波評価装置は、請求項１〜５のいずれかに記載のデジタル放送波評価装置において、
前記最適窓位置選定手段によって選定された最適窓位置で切出処理された信号列に対して、前記受信したデジタル放送波に含まれる各到来波のレベルと到来タイミングの差を表す遅延プロファイルを求める演算処理を行うことを特徴とする。
【発明の効果】
【００３７】
このように本発明のデジタル放送波評価装置は、特定タイミングに受信された受信信号についてのシンボルの信号列に対して、予め設定された複数の異なる窓位置で信号列の切出処理を行わせ、その切り出された複数組の信号列に対する変調誤差比の演算を行い、最大の変調誤差比が得られる窓位置を最適窓位置として選定する最適窓位置選定手段（３１）を有している。
【００３８】
したがって、この最適窓位置によりシンボル干渉部の影響が最も少ない状態で信号切り出し処理を行うことができ、測定者や周辺環境による測定結果のバラツキの発生がなく正確な評価演算が可能となる。
【００３９】
また、評価演算を用いる信号列の切出処理を行う前のタイミングだけでなく、評価演算に用いる信号列の最適窓位置による切出処理を継続的に行っている期間中の一定時間が経過するタイミング、あるいは、デジタル放送波の評価に必要な演算処理のために選定した最適窓位置で切出処理された信号列に対する変調誤差比の算出を継続的に行い、その算出した変調誤差比が予め設定された基準値より小さくなったタイミングを特定タイミングとして最適窓位置の再選定処理を行うようにした場合には、マルチパスの特性変化に影響されずに、常に正確な評価演算が可能となる。
【００４０】
また、最適窓位置選定手段によって選定された窓位置で切出処理された信号列に対して、デジタル放送波に含まれる各到来波のレベルと到来タイミングの差を表す遅延プロファイルを求める演算処理を行うものでは、測定者の違いやマルチパスの特性変化による影響を受けることなく、正確な遅延プロファイルの評価演算を行うことができる。
【発明を実施するための最良の形態】
【００４１】
以下、図面に基づいて本発明の実施の形態を説明する。
図１は、本発明を適用したデジタル放送波評価装置３０の要部構成を示している。
【００４２】
このデジタル放送波評価装置３０は、評価対象となるＯＦＤＭ方式の所望チャンネルのデジタル放送波を受信し、その受信信号からシンボルタイミングを検出し、そのシンボルの信号列に対して指定された窓位置の信号列切出処理を行い、その切り出した信号列に対して、デジタル放送波の評価に必要な演算を行うものであり、ここでは、評価対象のデジタル放送波に含まれる各到来波のレベルと到来タイミングの差を表す遅延プロファイルの算出処理を行うものとする。
【００４３】
図１で示しているように、デジタル放送波評価装置３０は前記した従来装置１０と同様に、周波数変換部１１、Ａ／Ｄ変換器１２、直交復調器１３、シンボルタイミング検出手段１４、操作部１６、窓位置信号発生手段１７、信号列切出手段１８、遅延プロファイル生成手段１９、表示データ生成手段２０および表示器２１を有している。
【００４４】
周波数変換部１１は、図示しないアンテナ等を介して入力された信号Ｂ０から所望チャンネルのデジタル放送波を受信して、所定の中間周波数帯の信号Ｂ１に変換し、この中間周波数帯の信号Ｂ１をＡ／Ｄ変換器１２によりデジタル信号Ｂ２に変換して、メモリ２５に数シンボル分一時記憶する。
【００４５】
また、直交復調器１３は、メモリ２５に記憶されたデジタル信号Ｂ２に対して直交復調処理を行い、ベースバンド信号Ｉ、Ｑを出力する。なお、前記したメモリ２５でこの直交変調器１３の出力Ｉ、Ｑを記憶してもよい。
【００４６】
シンボルタイミング検出手段１４は、前記したように、ベースバンド信号Ｉ、Ｑを受けて、ＯＦＤＭ信号を構成するシンボルの先頭位置の入力タイミングを検出する。
【００４７】
窓位置信号発生手段１７は、シンボルタイミング検出手段１４によって検出されたシンボルの先頭位置の入力タイミングを基準タイミングとし、後述する最適窓位置選定手段３１によって指定された窓位置Ｔａ（ｋ）に対応した窓位置信号Ｗ（ｋ）を信号列切出手段１８に出力する。
【００４８】
信号列切出手段１８は、入力されるベースバンド信号Ｉ、Ｑの信号列のうち窓位置信号発生手段１８から窓位置信号Ｗ（ｋ）を受けている間に入力された信号列Ｉ′、Ｑ′を出力する。
【００４９】
遅延プロファイル生成手段１９は、信号列切出手段１８によって切り出された信号列Ｉ′、Ｑ′に対するフーリエ変換処理によりシンボルに含まれるパイロット信号等から伝送路特性を抽出し、その伝送路特性に対する逆フーリエ変換処理により、測定対象の入力信号Ｂ０に含まれ、同一送信元から送信されて異なる経路を経て異なるタイミングに到来した各信号成分のレベルと到来タイミング差を表す遅延プロファイルを生成する。
【００５０】
表示データ生成手段２０は、横軸が時間、縦軸がレベルの直交座標上に、遅延プロファイル生成手段１９によって生成された遅延プロファイルの波形の表示データを生成し、レベル最大の到来波についての波形の表示位置が所定位置となるように表示器２１に表示する。また、表示データ生成手段２０は、後述する最適窓位置選定手段３１によって選定された最適窓位置に対応する最大変調誤差比ＭＥＲ（ｋ）または測定中に得られる変調誤差比ＭＥＲ（ｊ）を表示器２１に表示できるようになっている。
【００５１】
このデジタル放送波評価装置３０には、評価演算に用いる信号列を切り出すための最適な窓位置を自動的に設定する最適窓位置選定手段３１が設けられている。
【００５２】
この最適窓位置選定手段３１は、窓位置情報記憶手段３３、変調誤差比演算手段３５、変調誤差比比較手段３６、最適窓位置記憶手段３７および判定手段３８を有している。
【００５３】
窓位置情報記憶手段３３には、複数ｎの異なる窓位置Ｔａ（１）〜Ｔａ（ｎ）が予め設定されている。これらの窓位置Ｔａ（１）〜Ｔａ（ｎ）は、測定対象のシンボルのガードインターバルＧＩの幅の範囲内で、その長さに応じて設定することができる。ここで、各窓の幅Ｔｗは、有効シンボル長に等しいものとする。
【００５４】
例えばガードインターバルＧＩの長さが有効シンボル長の１／４の場合には、窓位置Ｔａとして、シンボルの先頭からガードインターバルＧＩの長さの０／４、１／４、２／４、３／４、４／４ずつシフトした５つの窓位置Ｔａ（１）〜Ｔａ（５）が指定される。
【００５５】
なお、この窓位置の数や間隔は任意であり、上記数値例に限定されず、より多くの窓位置を設定することも可能である。また、シンボルの先頭あるいは有効シンボルの先頭に一致する窓位置を用いる場合、僅かなタイミングのズレ（例えば同期ズレ）により前のシンボルあるいは後ろのシンボルが窓に重なり、測定精度を大きく低下させるので、上記各窓位置からシンボルの先頭および有効シンボルの先頭に一致する窓位置を省略してもよい。
【００５６】
最適窓位置選定手段３１は、特定タイミングに受信されてメモリ２５に一時記憶された信号Ｂ２（またはＩ信号、Ｑ信号）について検出されたシンボルの信号列に対して、窓位置情報記憶手段３３に設定された複数の異なる窓位置Ｔａ（１）〜Ｔａ（ｎ）で信号列の切出処理を行わせ、切り出された信号列Ｄ（１）〜Ｄ（ｎ）それぞれに対する変調誤差比の演算を変調誤差比演算手段３５により行い、その演算で得られた変調誤差比ＭＥＲ（１）〜ＭＥＲ（ｎ）の値を変調誤差比比較手段３６によって比較し、最大の変調誤差比ＭＥＲ（ｋ）が得られる窓位置Ｔａ（ｋ）を最適窓位置として選定して、最適窓位置記憶手段３７に記憶する。
【００５７】
なお、上記特定タイミングは、測定の開始時の他に、測定中に一定時間が経過する毎、あるいはマルチパス等の変化により窓位置が不適切になったとき等である。
【００５８】
また、変調誤差比ＭＥＲとは、デジタル変調信号の変調品質を表す値であり、変調方式で決まるコンスタレーション上の理論上のシンボル位置に対して実際に検出されたシンボル位置がどの程度離れているかを表す値であり、キャリア電力Ｐｃと雑音電力Ｐｎとの比Ｐｃ／Ｐｎで算出され、シンボル位置の誤差が小さい程、変調誤差比ＭＥＲの値は大きくなる。
【００５９】
実際の変調誤差比の演算処理は、復調データに対するフーリエ変換によりサブキャリアを抽出し上記電力比の演算を行うが、この演算処理は公知（例えば次の特許文献２）の技術であるので詳述しない。
【００６０】
【特許文献２】特開２００２−１２４９３１号公報
【００６１】
また、この変調誤差比演算手段３５は、特定タイミングの後の受信信号について最適窓位置Ｔａ（ｋ）で切出処理された信号列に対する変調誤差比の算出を継続的に行い、判定手段３８に出力する。判定手段３８は、変調誤差比演算手段３５によって算出された変調誤差比が予め設定された基準値Ｒより小さいか否かを判定する。
【００６２】
そして、基準値Ｒより小さい変調誤差比が算出される毎に、最適窓位置選定手段３１は、最適窓位置の選定処理を行い、最適窓位置を更新する。
【００６３】
ここで、基準値Ｒとしては、受信環境等に応じて決定した固定値の他に、前回選定された最適窓位置に対応する変調誤差比ＭＥＲ（ｉ）から許容低下量Δｒを減じた値や許容低下率αを乗じた値等のように前回選定された最適窓位置に対応する変調誤差比ＭＥＲ（ｉ）に依存した量であってもよい。
【００６４】
図２は、最適窓位置選定手段３１の処理手順を含むフローチャートである。以下、このフローチャートに基づいて、デジタル放送波評価装置３０の動作を説明する。
【００６５】
始めに、ＯＦＤＭ方式のデジタル放送波についてのパラメータ（例えばシンボル長、ＧＩ長等）を設定する（Ｓ１）。この設定により、最適窓位置の候補、例えばＴａ（１）〜Ｔａ（５）が決定される（Ｓ２）。
【００６６】
ここで、図３の（ａ）のレベル最大の到来波Ａ１と、図３の（ｂ）のように到来波Ａ１に対してガイドインターバルＧＩの幅Ｔｇ以内で時間Ｔｘだけ遅れた到来波Ａ２と、図３の（ｃ）のように到来波Ａ１に対してガイドインターバルＧＩの幅Ｔｇ以内で時間Ｔｘ′だけ早い到来波Ａ３との合成波Ｂが、図３の（ｄ）のように入力されているタイミングに測定開始を指示する（Ｓ３）と、メモリ２５に数シンボル分の信号Ｂ２が記憶され（Ｓ４）、その信号に対する直交復調処理およびシンボル検出処理（Ｓ５）がなされ、図３の（ｅ）および図４の（ａ）のような信号列Ｄ（０）が得られる。
【００６７】
そして、図４の（ａ）に示す信号列Ｄ（０）に対し、図４の（ｂ）〜（ｆ）のように、Ｔｇ／４ずつシフトした各窓位置Ｔａ（１）〜Ｔａ（５）でそれぞれ信号列Ｄ（１）〜Ｄ（５）を切り出させ、それぞれの信号列Ｄ（１）〜Ｄ（５）に対して変調誤差比（ＭＥＲ）の演算を行う（Ｓ６〜Ｓ１０）。
【００６８】
ここで、最初に取得した信号列Ｄ（０）のうち、前後のシンボルデータが合成されているシンボル干渉部Ｂｂと窓とが重なる領域が大きい程、位相、振幅が非相関なデータの合成により変調品質が低下し変調誤差比ＭＥＲの値が小さくなり、窓がシンボル非干渉部Ｂａのみに重なるとき、変調品質が最大となり、変調誤差比ＭＥＲも最大となる。
【００６９】
図４の（ｇ）は、この変調誤差比ＭＥＲの変化の一例を示すものであり、窓位置Ｔａ（４）ときの変調誤差比ＭＥＲ（４）が最大（ｋ＝４）となっており、この最大の変調誤差比ＭＥＲ（４）を与える窓位置Ｔａ（４）を最適窓位置として記憶する（Ｓ１１）。
【００７０】
このようにして最適な窓位置として選定された窓位置Ｔａ（ｋ）は、窓位置信号発生手段１７に与えられ、以後の測定の際には、この窓位置Ｔａ（ｋ）による信号切出処理がなされて、デジタル放送波に対する遅延プロファイルが生成され、その生成された遅延プロファイルが表示器２１に表示されることになる（Ｓ１２〜Ｓ１４）。
【００７１】
したがって、予め測定に必要な条件（測定チャンネル、変調方式等）の設定等の設定操作だけで、上記のように最適窓位置選定手段３１により評価対象のデジタル放送波に対して最適な窓位置が自動的に設定され、その設定された窓位置で切り出された信号列に対して遅延プロファイルが生成され、表示されることになるので、測定者による測定結果のバラツキは発生せず、測定者に依存しない正確な測定が行える。
【００７２】
なお、このデジタル放送波測定装置３０は、単発測定モードと連続測定モードのいずれかを選択できるようになっており、単発測定モードが選択された場合には、図２に示しているように、最初にメモリ２５に記憶した信号Ｂ２から得られる信号列Ｄ（０）（あるいは最適窓位置が選定された直後にメモリ２５に記憶した信号Ｂ２から得られる信号列Ｄ（０）でもよい）に対して、前記選定処理で得られた最適窓位置Ｔａ（ｋ）による信号切出処理を行って、遅延プロファイルを演算し、これを表示して測定を終了する。
【００７３】
また、連続測定モードが指定された場合には、図５に示すように、メモリ２５に記憶される信号Ｂ２が順次更新され（Ｓ３１）、その更新された信号についての直交復調処理およびシンボル検出処理が行われ（Ｓ３２）、そのシンボル検出処理で得られた信号列に対する最適窓位置による信号切出処理（Ｓ１２）が順次行われて、信号切出処理で得られた信号列に対する遅延プロファイルの演算（Ｓ１３）が順次行われて、遅延プロファイルの表示が順次更新される（Ｓ１４）。
【００７４】
ただし、この連続測定の場合、最適窓位置選定手段３１は、一定時間が経過する毎に処理Ｓ６に戻り（Ｓ３３）、最適窓位置の再選定処理を行い、最適窓位置を更新する。
【００７５】
また、最適窓位置選定手段３１は、この連続測定の間に最適窓位置で切り出された信号列に対する変調誤差比演算手段３５による演算処理を継続的に行い（Ｓ３４）、その演算結果ＭＥＲ（ｊ）と基準値Ｒとを比較し（Ｓ３５）、ＭＥＲ（ｊ）が基準値Ｒより小さくなった場合（固定の基準値より小くなった場合あるいは前回選定された最適窓位置に対応するＭＥＲ（ｋ）に対して大きくした場合）、即ち、マルチパスの特性変化により窓位置が不適切になった場合、処理Ｓ６に戻り前記した最適窓位置の再選定処理を行い、最適窓位置を更新する。
【００７６】
この処理により連続測定中に電波伝搬路の変化（反射物の移動、振動あるいは天候変化による反射率の変化等）によってマルチパス特性が変化した場合でも、そのマルチパス特性の変化に応じて最適な窓位置が自動的に設定され、測定者がなんら特別な操作することなく、正確な遅延プロファイルの測定を継続することができる。
【００７７】
なお、ここでは、一定時間毎の最適窓位置の更新処理と、変調誤差比の算出値低下による最適窓位置の更新処理とを併用していたが、一方の更新処理だけで最適窓位置の更新してもよい。
【００７８】
また、上記動作例では、複数の窓位置Ｔａ（１）〜Ｔａ（ｎ）で切り出された信号列についてそれぞれ得られた変調誤差比ＭＥＲ（１）〜ＭＥＲ（ｎ）のうちの最大のものが一つであったが、最大レベルの到来波に対して遅延到来波や早期到来波が少ない場合や、それらのレベルが無視できる程小さいような場合（放送波の品質が非常に高い場合）、変調誤差比ＭＥＲ（１）〜ＭＥＲ（ｎ）のうちの最大のものが複数存在する場合が生じるが、その場合に予め設定した優先順位で最大のＭＥＲを与える窓位置を選定すればよい。
【００７９】
例えば、最大の変調誤差比を与える複数の窓位置のうち、タイミングの僅かなずれで測定結果が大きく変化しないように、シンボルの先頭、有効シンボルの先頭から遠い位置で、且つレベル最大の到来波についてのシンボルと２番目のレベルの到来波についてのシンボルとが重なり合う部分の先頭に近い窓位置を最適窓位置として選定すればよい。
【００８０】
上記実施形態では、受信したデジタル放送波に対して最適な窓位置を自動的に選定して評価演算に必要な信号列の切出処理を行う例を示したが、図６に示すデジタル放送波評価装置３０′のように、操作部１６の操作によって指定された窓位置の情報を窓位置信号発生手段１７に与える窓位置指定手段１５を設けておき、前記したように自動で最適な窓位置を設定する自動設定モードと、手動で窓位置を可変する手動操作モードとを切替できるようにしてもよい。
【００８１】
また、デジタル放送波の評価演算には上記した遅延プロファイルだけでなく、変調誤差比そのものやビット誤り率（ＢＥＲ）があるが、いずれの評価演算を行う場合であっても、上記したように変調誤差比が最大となる窓位置が選定され、その選定された窓位置で切り出した信号列に対して評価演算処理を行うことで、測定者の違いやマルチパスの変化によらない正確な評価結果を得ることができる。
【図面の簡単な説明】
【００８２】
【図１】本発明の実施形態の構成図
【図２】本発明の実施形態の要部の処理手順を示すフローチャート
【図３】本発明の実施形態の動作説明図
【図４】本発明の実施形態の動作説明図
【図５】本発明の実施形態の要部の他の処理手順を示すフローチャート
【図６】本発明の別の実施形態の構成図
【図７】マルチパスの説明図
【図８】ＯＦＤＭ信号のフォーマットを示す図
【図９】複数の到来波と合成波との関係を示す図
【図１０】従来装置の構成図
【図１１】従来装置の動作説明図
【図１２】従来装置の測定結果の表示例を示す図
【符号の説明】
【００８３】
１１……周波数変換部、１２……Ａ／Ｄ変換器、１３……直交復調器、１４……シンボルタイミング検出手段、１５……窓位置指定手段、１６……操作部、１７……窓位置信号発生手段、１８……信号列切出手段、１９……遅延プロファイル生成手段、２０……表示データ生成手段、２１……表示器、２５……メモリ、３０、３０′……デジタル放送波評価装置、３１……最適窓位置選定手段、３３……窓位置情報記憶手段、３５……変調誤差比演算手段、３６……変調誤差比比較手段、３７……最適窓位置記憶手段、３８……判定手段
【図１】
2009017410.tif 000003
【図２】
2009017410.tif 000004
【図３】
2009017410.tif 000005
【図４】
2009017410.tif 000006
【図５】
2009017410.tif 000007
【図６】
2009017410.tif 000008
【図７】
2009017410.tif 000009
【図８】
2009017410.tif 000010
【図９】
2009017410.tif 000011
【図１０】
2009017410.tif 000012
【図１１】
2009017410.tif 000013
【図１２】
2009017410.tif 000014